(57)【要約】【課題】被走査媒体の表面上を走査する、走査線の位置を納入前に事前に容易に調整することができ、搬送時にもその位置が移動しない走査光学装置を提供すること。【解決手段】レーザ光源と、レーザ光源から照射されたレーザ光を反射して走査する回転多面鏡と、レーザ光源と回転多面鏡とを収容する筐体と、筺体の一部に形成され開口部３０３を有する突起部３０２と、突起部３０２の表面に設けられる着脱可能な高さ調整部材４０１とを備え、突起部３０２と被固定体１８との間に高さ調整部材４０１を挟持して被固定体１８に固定される構成を備え、装置本体の高さは高さ調整部材４０１の厚さで決まるので、高さ調整作業が容易で、高さ調整部材を固定するために紫外線硬化性接着剤の塗布、硬化作業が不要であり、搬送によっても調整後の高さが変わることはない。【選択図】図６
2007333841.tif 000002
【特許請求の範囲】
【請求項１】
レーザ光源と、前記レーザ光源から照射されたレーザ光を反射して走査する回転多面鏡と、前記レーザ光源と前記回転多面鏡とを収容する筐体と、筺体の一部に形成され開口部を有する筺体固定部と、前記筺体固定部の表面に設けられる着脱可能な高さ調整部材とを備え、前記筺体固定部と被固定体との間に前記高さ調整部材を挟持して前記被固定体に固定されることを特徴とする走査光学装置。
【請求項２】
前記高さ調整部材と前記筺体固定部との間に挟持される座金片をさらに備えたことを特徴とする請求項１記載の走査光学装置。
【請求項３】
前記高さ調整部材は、前記開口部に挿入される挿入片部と、前記被固定体と前記筺体固定部の間に挟持される挟持片部と、前記挿入片部と前記挟持片部とを屈曲して連結する連結部とから構成され、前記挿入片部は前記開口部の内壁側に付勢されていることを特徴とする請求項１記載の走査光学装置。
【請求項４】
前記挟持片部と前記筺体固定部との間に挟持される前記座金片をさらに備え、前記座金片は前記挿入片部が挿入される開口部を有する請求項３記載の走査光学装置。
【請求項５】
前記筺体固定部と前記挟持片部と前記座金片と前記被固定体のそれぞれが、前記筐体固定部を前記被固定体に固定するための柱状固定部材が挿入される固定穴を有する請求項４記載の走査光学装置。
【請求項６】
請求項１ないし請求項５のいずれかに記載の走査光学装置を備えた画像形成装置。
【発明の詳細な説明】
【技術分野】
【０００１】
本発明は、レーザビームプリンタやデジタル複合機等に使用される走査光学装置及びそれを備えた画像形成装置に関するものである。
【背景技術】
【０００２】
レーザプリンタやデジタル複合機等の画像形成装置に用いられる走査光学装置は、レーザ光源から発せられたレーザ光をシリンダレンズによって線状の光束に集光し、レーザ光を偏向する回転多面鏡によって、その回転軸に対して直行する所定の方向に偏向走査し、結像レンズを経て被走査媒体である感光体に結像させる。感光体が、回転軸に対して直行する方向の延長線上にない場合においては、折返しミラーで反射させ所定の感光体に結像させる。
【０００３】
一般に走査光学装置は、上記レーザ光源のような光学ユニットやシリンダレンズ、回転多面鏡、結像レンズ、折返しミラーなどの走査光学系に必要な構成部材が筐体に収容されて構成される。
【０００４】
このような走査光学装置は、これ単体で複合機などのメーカーに納入される。この場合、納入メーカーからの要求によって走査光学装置と感光体との位置関係が予め設定されている。そのため、納入組立時には被走査媒体である感光体の表面上を正しく走査することができるよう、走査線の位置の調整を事前に済ませておく事が必要であり、したがって納入のための搬送中にその調整済みの走査線の位置が変化してはならない。
【０００５】
従来の走査光学装置は、感光体表面上の走査線の位置を事前に調整するために、筐体の開口部に高さ調整部材である調整足を挿入し、調整足の筐体より下に出る長さを微調整した後に、調整足の位置が変化しないように開口部と調整足の接する面に紫外線硬化性接着剤を塗布し、紫外線照射器により硬化させ調整足の固定を行っていた（例えば、特許文献１参照）。
【特許文献１】特開平５−３４６５５０号公報
【発明の開示】
【発明が解決しようとする課題】
【０００６】
しかしながら、上記従来の技術においては、高さ調整部材である調整足は筐体の開口部に挿入して上下高さの微調整をするだけのものであるので、高さ調整部材それだけでは調整位置で固定されず、筐体からの突出長さ調整後に紫外線硬化性接着剤でその位置を固定しなければならない。従って、微調整、塗布、硬化作業で多くの時間を要する。また、紫外線硬化性接着剤などの溶剤を用いるために、紫外線硬化性接着剤が他部品に付着する危険性があった。
【０００７】
本発明は、かかる問題点に鑑みて為されたものであり、被走査媒体である感光体の表面上を走査する、走査線の位置を納入前に事前に容易に調整することができ、搬送時にもその位置が移動しない走査光学装置及びそれを備えた画像形成装置を提供することを目的とする。
【課題を解決するための手段】
【０００８】
本発明の走査光学装置は、レーザ光源と、レーザ光源から照射されたレーザ光を反射して走査する回転多面鏡と、レーザ光源と回転多面鏡とを収容する筐体と、筺体の一部に形成され開口部を有する筺体固定部と、筺体固定部の表面に設けられる着脱可能な高さ調整部材とを備え、筺体固定部と被固定体との間に高さ調整部材を挟持して被固定体に固定される構成を有する。
【０００９】
この構成により、着脱可能な高さ調整部材により高さ調整部材は筐体固定部に保持可能であり、高さ調整部材の厚さで高さが決まるので運搬時に高さが変化することはない。
【００１０】
また、本発明の走査光学装置は、高さ調整部材と筺体固定部との間に挟持される座金片をさらに備えた構成を有する。
【００１１】
この構成により、被固定体と筺体固定部との間に挟持される高さ調整部材と座金片とで高さ調整ができ、高さ調整部材と座金片は運搬時にも自然に脱落しない。
【００１２】
また、本発明の走査光学装置は、開口部に挿入される挿入片部と、被固定体と筺体固定部の間に挟持される挟持片部と、挿入片部と挟持片部とを屈曲して連結する連結部とから構成され、挿入片部は開口部の内壁側に付勢されている構成を有する。
【００１３】
この構成により、高さ調整部材の挿入片部は開口部の内壁側に当接するように付勢されるので筐体固定部の開口部の内壁側に弾性作用を利用して、接着溶剤または固定用ビスを用いずに筐体固定部に保持可能であり、高さ調整部材の厚さで高さが決まるので運搬時に高さが変化することはない。
【００１４】
また、本発明の走査光学装置は、挟持片部と筺体突起部との間に挟持される座金片をさらに備え、座金片は挿入片部が挿入される開口部を有する構成を備える。
【００１５】
この構成により、被固定体と筺体固定部との間に挟持される高さ調整部材と座金片とで高さ調整ができ、高さ調整部材と座金片は運搬時にも自然に脱落しない。
【００１６】
更に、本発明の走査光学装置は、筺体固定部と挟持片部と座金片と被固定体のそれぞれが、筺体固定部を被固定体に固定するための柱状固定部材が挿入される固定穴を備えた構成を有する。
【００１７】
この構成により、同一の柱状固定部材で筐体と高さ調整部材と座金片と被固定体を固定することが可能である。
【発明の効果】
【００１８】
本発明の走査光学装置によれば、筺体の一部に形成される筺体固定部と、筺体固定部の表面に設けられる着脱可能な高さ調整部材とを備え、筺体固定部と被固定体との間に高さ調整部材を挟持して被固定体に固定される構成を有するので、装置本体の高さは高さ調整部材の厚さで決まるので高さ調整作業が容易で、高さ調整部材を固定するために従来のような紫外線硬化性接着剤の塗布、硬化作業が不要であり、搬送によっても調整後の高さが変わることはない。
【発明を実施するための最良の形態】
【００１９】
以下、本発明の実施の形態について、図面を参照して詳細に説明する。
【００２０】
（実施の形態１）
図１は、本発明の走査光学装置を塔載するカラー画像形成装置の一例を示す概略構成図である。
【００２１】
図１においてカラー画像形成装置は、帯電、露光、現像、転写及び定着の各プロセスを経て記録紙に画像を形成する画像形成部１を備え、この画像形成部１には、給紙部２の給紙カセットに収容された記録シート３が、給紙部２から画像形成部１に向かう給紙経路Ａを経て逐次送り込まれる。画像形成部１にて所要の画像が形成された記録シート３は画像形成部１から装置外へと向かう排紙経路Ｂを経て排紙部４に排出される。ガイド体５は、記録シート３を画像形成部１に案内する部材であって、給紙経路Ａ上に設けられている。
【００２２】
画像形成部１は、イエロー（Ｙ）、マゼンタ（Ｍ）、シアン（Ｃ）、及び黒（Ｋ）の各色成分ごとのトナー像を形成する複数のプロセスユニット１１〜１４と、この各プロセスユニット１１〜１４内の各感光体ドラム１１ａ〜１４ａの作像面に対して露光用の光束（一点鎖線矢印で示す）を走査する走査光学装置１６と、各プロセスユニット１１〜１４内の各感光体ドラム１１ａ〜１４ａ上に作像された各色ごとのトナー像が順次転写されて合成される画像保持手段としての中間転写ベルト（中間転写体）１７とを有し、各色ごとの感光体ドラム１１ａ〜１４ａが中間転写ベルト１７に沿って並んで配置されたタンデム型（１パス機）の構造となっている。
【００２３】
走査光学装置１６は、被固定体１８としての装置本体の一部、例えば画像形成部１の一部に固定され、内部に、回転多面鏡１９や、図示しない、イエロー（Ｙ）、マゼンタ（Ｍ）、シアン（Ｃ）、及び黒（Ｋ）の各色に対応する複数の光学ユニットや反射鏡などが格納されている。
【００２４】
各プロセスユニット１１〜１４内では、各帯電器１１ｂ〜１４ｂにより均一に帯電させた各感光体ドラム１１ａ〜１４ａの作像面に対して走査光学装置１６から露光用の光束が走査されることで静電潜像が形成され、この各感光体ドラム１１ａ〜１４ａの静電潜像が、各現像器１１ｃ〜１４ｃから供給される各色のトナーで現像されて色成分ごとの単色トナー像が各感光体ドラム１１ａ〜１４ａの作像面に形成される。
【００２５】
中間転写ベルト１７は、駆動ローラ２１、従動ローラ２２に巻き掛けられて支持され、この中間転写ベルト１７の内側には、中間転写ベルト１７を押圧して各感光体ドラム１１ａ〜１４ａ上のトナー像を中間転写ベルト１７に転写する各色ごとの１次転写ローラ２４〜２７が設けられている。また中間転写ベルト１７の端部側方には、中間転写ベルト１７上のトナー像を記録シート３に転写する２次転写ローラ２８が配設されている。
【００２６】
この２次転写ローラ２８によりトナー像が転写された記録シート３は、定着器３０に搬送されて熱及び圧力によりトナー像を記録シート３に定着させる処理が行われる。その後、記録シート３は排紙経路Ｂを経て排紙ローラ２０により排紙部４上に排出される。
【００２７】
このように構成された画像形成装置において、走査光学装置１６より発せられる露光用の光束が走査された走査線位置が各感光体ドラム１１ａ〜１４ａの要求位置から変化すると、印字書始め位置にずれが生じ、更に画像形成装置を形成する部品により走査線が遮光され印字不良を引起し、画像品質上好ましくないので、走査光学装置１６と走査線位置と各感光体ドラム１１ａ〜１４ａが設定された位置関係にあることが重要である。
【００２８】
そのため、本発明では、走査光学装置１６の筐体の外側に、図２に示すように筐体固定部である突起部３０２を設け、図４に示す高さ調整部材４０１を取り付けるようにしている。そして、被固定体１８と突起部３０２との間に高さ調整部材を挟持して走査光学装置１６の感光体に対する高さを調整するようにしている。
【００２９】
図２は、本実施の形態１における走査光学装置の内部構成を示す図であり、図３は、本発明の実施の形態１における走査光学装置の下面方向からの外観図である。
【００３０】
図２および図３において、走査光学装置を構成する筐体２０１の内部には、レーザ光源２０２と、レーザ光源２０２から照射されたレーザ光２０４を反射して走査する、駆動モータにて回転する回転多面鏡１９と、回転多面鏡１９で反射されたレーザ光を被走査媒体である感光体に導くための折返しミラー２０５とが収容されている。筐体２０１を覆う蓋２０６には、筐体２０１内部から発せられる回転多面鏡１９で反射されたレーザ光２０４を被走査媒体である感光体に結像させるための出射口２０７が形成されている。
【００３１】
また、筐体２０１には、その側面から延出した、筐体２０１を支えるための筐体固定部としての３つの突起部３０２が設けられ、突起部３０２には図４に示す高さ調整部材４０１を挿入するための２つの開口部３０３が形成されており、更に、突起部３０２には、被固定体１８である画像形成装置と固定するための柱状固定部材としての雄ネジを通すための通し穴３０４が形成されている。突起部３０２の下面には凸状の段差によって座面３０５が形成されている。
【００３２】
また、本実施の形態では筐体固定部を突起部３０２としたが、本発明は筐体固定部を筐体２０１の底面の所定の部分としてもよい。このときは、通し穴３０４は筐体２０１の底面の所定部分に形成され、座面３０５は筐体２０１の裏面の通し穴３０４周辺部に形成され、開口部３０３は通し穴３０４を挟むように筐体２０１の底面に形成される。
【００３３】
図４は本実施の形態の走査光学装置の筐体２０１の突起部３０２に取付けられる高さ調整部材４０１の斜視図である。
【００３４】
図４において、高さ調整部材４０１はステンレス鋼バネ材より成形されており、筐体２０１の突起部３０２の開口部３０３に挿入される挿入片部４０２と、突起部３０２の座面３０５に接する挟持片部４０３と、挿入片部４０２および挟持片部４０３を連結する連結部４０４とで形成される。連結部４０４は曲げ加工により形成されている。曲げ加工によって形成された連結部４０４により、高さ調整部材４０１の挿入片部４０２と挟持片部４０３のなす角度θは鈍角となっている。すなわち、挿入片部４０２はステンレス鋼バネ材で形成されているので、図の矢印に示すように、外側に付勢されている。挿入片部４０２の互いに向い合う面と反対側の面には球形状をしたダボ４０５が形成されている。また、挟持片部４０３には雄ネジを通すための通し穴４０６が形成されている。
【００３５】
図５は筐体２０１に高さ調整部材４０１を取付けた本実施の形態における走査光学装置の下面方向からの外観図である。
【００３６】
図５に示すように、高さ調整部材４０１は、筐体２０１の下面方向から、挿入片部４０２を開口部３０３に挿入することにより筐体２０１に取付けられる。
【００３７】
図６は複写機等の被固定体１８に本実施の形態の走査光学装置を取付けた状態を示す要部断面図である。
【００３８】
図６に示す開口面６０２は、突起部３０２に設けられた開口部３０３において、高さ調整部材４０１に形成されたダボ４０５と向き合う面である。突起部３０２の開口部３０３の底部には、傾斜面としたテーパ６０３が形成されている。突起部３０２は被固定体１８から高さ調整部材４０１の挟持片部４０３の厚さ分だけ離れた高さにあり、突起部３０２と高さ調整部材４０１と被固定体１８は、柱状固定部材としての雄ネジ６０４によりそれぞれが面接触で取付けられる。すなわち、被固定体１８には雄ネジ６０４と螺合する雌ネジ６０５が形成されており、雄ネジ６０４と被固定体１８の雌ネジ６０５が螺合することにより、突起部３０２と高さ調整部材４０１とはこれらで挟持される。
【００３９】
以上のように、本実施の形態によれば、走査線の位置調整には、厚さの異なる高さ調整部材４０１を複数準備し、これらの高さ調整部材４０１を変えることで容易に調整が可能である。
【００４０】
また、高さ調整部材４０１は自然に脱落しない構造をしているため、高さ調整部材４０１を突起部３０２に固定するための接着溶剤や固定用ネジの削減、溶剤を硬化させるための、例えば紫外線照射作業を省くことが出来る。
【００４１】
（実施の形態２）
図７は本発明の実施の形態２における座金片を示す斜視図である。
【００４２】
図７において、座金片としてのスペーサ７０１には高さ調整部材４０１の連結部４０４を通すための開口部７０２が形成されており、また、被固定体１８に固定する雄ネジ６０４を通すための通し穴７０３が形成されている。
【００４３】
図８は、被固定体１８に本実施の形態の走査光学装置をスペーサ７０１を用いて取付けた状態を示す要部断面図である。
【００４４】
図８において、突起部３０２は被固定体１８から高さ調整部材４０１の挟持片部４０３の厚さとスペーサ７０１の厚さ分だけ離れた高さにあり、雄ネジ６０４と被固定体１８との螺合により、突起部３０２と高さ調整部材４０１と被固定体１８とスペーサ７０１はそれぞれが面接触で取付けられる。
【００４５】
かかる構成によれば、図６及び図８に示すように、突起部３０２に挿入された高さ調整部材４０１のダボ４０５の先端が開口面６０２より外側に突出するため、ダボ４０５が抜け防止の役割を果たし、走査光学装置の搬送時においても、高さ調整部材４０１は筐体２０１の突起部３０２から自然脱落することはない。また、高さ調整部材４０１は弾性材料から形成されていて挿入片部４０２が開口部３０３の内壁側に付勢されており、挿入片部４０２は開口面６０２に沿って変形し、かつ、挿入時にダボ４０５が接する突起部３０２はテーパ６０３が施されているため、高さ調整部材４０１の開口部３０３への挿入時には、少ない力で容易に装着が可能である。更に、開口部３０３と座面３０５に段差を設けていることにより、被固定体１８に取付けるときに、連結部４０４に形成されている曲げＲ（不完全な折り曲げ部）の影響を受けずに、突起部３０２と高さ調整部材４０１と被固定体１８はそれぞれ面接触で取付けられ、安定した位置固定が可能である。
【００４６】
スペーサ７０１は図８に示すように、開口部７０２に挿入片部４０２を挿入し、突起部３０２と高さ調整部材４０１に挟持される構造となっているため、高さ調整部材４０１を取外さない限りスペーサ７０１は脱落することはない。また、突起部３０２と高さ調整部材４０１とスペーサ７０１は、被固定体１８の柱状固定部材である雄ネジ６０４が挿入される固定穴と同軸上に存在するため、同一の雄ネジ６０４で共締めすることが可能である。
【００４７】
このように本実施の形態においては、走査線の位置調整には、一定の厚さの高さ調整部材４０１を用い、厚さの異なるスペーサ７０１を複数準備し、スペーサ７０１を変えることで容易に調整が可能である。
【００４８】
また、高さ調整部材４０１とスペーサ７０１が自然に脱落しない構造をしているため、高さ調整部材４０１及びスペーサ７０１を突起部３０２に固定するための接着溶剤や固定用ネジの削減、溶剤を硬化させるための、例えば紫外線照射作業を省くことが出来る。
【００４９】
なお、本実施の形態において、走査線の位置調整に、厚さの異なるスペーサ７０１を用いたが、同一厚さのスペーサ７０１を用いて挟持する枚数を変えても同様の効果を得ることが出来る。
【００５０】
（実施の形態３）
図９は、本発明の実施の形態３における走査光学装置の高さ調整部材９０１の斜視図である。
【００５１】
図９において、図４と同じ構成要素については同じ符号を用い、説明を省略する。
【００５２】
図９において、実施の形態１と異なる点は、高さ調整部材９０１の挿入片部４０２の互いに向かい合う面と反対側の面にダボ４０５の替わりに凸となる湾曲部９０２が設けられている点である。本実施の形態においては、筐体２０１の突起部３０２に挿入された高さ調整部材９０１の湾曲部９０２の先端が突起部３０２の開口面６０２より外側に突出して抜け防止の役割を果たしており、実施の形態１と同様の効果を得る事が出来る。
【００５３】
（実施の形態４）
図１０は、本発明の実施の形態４における走査光学装置の高さ調整部材１００１の斜視図である。
【００５４】
図１０において、図４と同じ構成要素については同じ符号を用い、説明を省略する。
【００５５】
図１０において実施の形態１と異なる点は、高さ調整部材１００１の挿入片部４０２の互いに向かい合う面と反対側の方向に折り曲げられた鍵状部１００２が、挿入片部４０２の端部に設けられている点である。本実施の形態においては、筐体２０１の突起部３０２に挿入された高さ調整部材１００１の鍵状部１００２の先端が突起部３０２の開口面６０２より外側に突出して抜け防止の役割を果たしており、実施の形態１及び形態２と同様の効果を得る事が出来る。
【００５６】
（実施の形態５）
図１１は、本発明の実施の形態５における高さ調整部材１０１１を、筐体２０１の突起部３０２の開口部３０３に挿入したときの要部断面図である。
【００５７】
図１１において、図１から図１０と同じ構成要素については同じ符号を用い、説明を省略する。
【００５８】
図１１における本実施の形態の走査光学装置は、筐体２０１には座面を設けておらず、高さ調整部材１０１１の挟持片部４０３の位置は、高さ調整部材１０１１を筐体２０１に取付けた状態で連結部４０４の曲げＲより高い位置に形成される。本実施の形態においては、筐体２０１に座面が形成されていない場合においても、高さ調整部材１０１１の挟持片部４０３が連結部４０４より高い位置にあるので、挟持片部４０３は座面３０５と同様の効果を奏する。したがって、雄ネジ６０４によって被固定体１８に走査光学装置の筐体２０１を取付けるときに、連結部４０４に形成されている曲げＲの影響を受けずに、筐体２０１と高さ調整部材１０１１と被固定体１８はそれぞれ面接触で取付けられ、実施の形態１と同様の効果を得る事ができる。
【００５９】
以上説明した上記各実施の形態では、高さ調整部材４０１、９０１、１００１、１０１１は挿入片部４０２が外側に付勢力を与えられており、突起部３０２に形成された開口部３０３に挿入片部４０２を挿入して、高さ調整部材４０１、９０１、１００１、１０１１の脱落を防止していたが、本発明はこれに限ることなく、高さ調整部材で固定部を挟むように高さ調整部材を屈曲させ、高さ調整部材で固定部を挟持するように構成することによっても、高さ調整部材の厚さで走査線の高さを調整でき、かつ高さ調整部材の脱落を防止できる。
【産業上の利用可能性】
【００６０】
本発明に係る走査光学装置によれば、高さ調整部を固定するために従来のような赤外線硬化性接着剤の塗布、硬化作業が不要であり、高さ調整作業が容易で、搬送によっても調整後の高さが変わることが無いので画像形成装置などに有用である。
【図面の簡単な説明】
【００６１】
【図１】本発明の実施の形態１における走査光学装置を塔載した画像形成装置の概略構成図
【図２】本発明の実施の形態１における走査光学装置の内部構成を示す図
【図３】本発明の実施の形態１における走査光学装置の下方面からの外観図
【図４】本発明の実施の形態１における走査光学装置の高さ調整部材の斜視図
【図５】本発明の実施の形態１における高さ調整部材を取り付けた走査光学装置の下方面からの外観図
【図６】本発明の実施の形態１における走査光学装置の要部断面図
【図７】本発明の実施の形態２における走査光学装置のスペーサの斜視図
【図８】本発明の実施の形態２におけるスペーサを取り付けた走査光学装置の要部断面図
【図９】本発明の実施の形態３における走査光学装置の高さ調整部材の斜視図
【図１０】本発明の実施の形態４における走査光学装置の高さ調整部材の斜視図
【図１１】本発明の実施の形態５における走査光学装置の要部断面図
【符号の説明】
【００６２】
１    画像形成部
２    給紙部
３    記録シート
４    排紙部
５    ガイド体
１１〜１４    プロセスユニット
１１ａ〜１４ａ    感光体ドラム
１１ｂ〜１４ｂ    帯電器
１１ｃ〜１４ｃ    現像器
１６    走査光学装置
１７    中間転写ベルト
１８    被固定体
１９    回転多面鏡
２０    排紙ローラ
２１    駆動ローラ
２２    従動ローラ
２４〜２７    １次転写ローラ
２８    ２次転写ローラ
３０    定着器
２０１    筐体
２０２    レーザ光源
２０４    レーザ光
２０５    折返しミラー
２０６    蓋
２０７    出射口
３０２    突起部
３０３，７０２    開口部
３０４，４０６，７０３    通し穴
３０５    座面
４０１，９０１，１００１，１０１１    高さ調整部材
４０２    挿入片部
４０３    挟持片部
４０４    連結部  
４０５    ダボ
６０２    開口面
６０３    テーパ
６０４    雄ネジ
６０５    雌ネジ
７０１    スペーサ
９０２    湾曲部
１００２    鍵状部
【図１】
2007333841.tif 000003
【図２】
2007333841.tif 000004
【図３】
2007333841.tif 000005
【図４】
2007333841.tif 000006
【図５】
2007333841.tif 000007
【図６】
2007333841.tif 000008
【図７】
2007333841.tif 000009
【図８】
2007333841.tif 000010
【図９】
2007333841.tif 000011
【図１０】
2007333841.tif 000012
【図１１】
2007333841.tif 000013